(57)【特許請求の範囲】
【請求項１】
温水タンク内の洗浄水を加熱するシーズヒータを備えている局部洗浄装置であって、前記温水タンクを貫通する直線棒状となっている前記シーズヒータは、その一端が前記シーズヒータに固定されたフランジで前記温水タンクに固定保持され、その他端が前記温水タンクに固定された挿通孔に軸方向スライド自在に保持され、前記シーズヒータと温水タンクはその長手方向の両端部分にＯリングを装填してなる局部洗浄装置。
【請求項２】
前記挿通孔は温度ヒューズを保持するフランジであることを特徴とする請求項１記載の局部洗浄装置。
【発明の詳細な説明】
【０００１】
【発明の属する技術分野】
本発明は洗浄水を加熱するための温水タンクを備えた局部洗浄装置に関するものである。
【０００２】
【従来の技術】
温水タンクにはその内部の洗浄水の加熱のためにシーズヒータを用いているが、シーズヒータの熱膨張の点から、従来、Ｕ字形に屈曲させたものを用いていた。
【０００３】
【発明が解決しようとする課題】
この場合、温水タンク内のシーズヒータの配置が片寄った状態となるために、加熱効率に関して問題がある。また、シーズヒータの両端が温水タンクの一面に位置するために、その取付部の構造がどうしても複雑化しやすく、短絡事故の虞も高い。
【０００４】
本発明はこのような点に鑑みなされたものであって、その目的とするところはシーズヒータの温水タンクへの取り付けが容易であるとともに温水の加熱効率も高い局部洗浄装置を提供するにある。
【０００５】
【課題を解決するための手段】
しかして本発明は、洗浄水の貯水用の温水タンクを備えるとともに、該温水タンク内の洗浄水を加熱するシーズヒータを備えている局部洗浄装置において、温水タンクを貫通する直線棒状となっているシーズヒータは、その一端がシーズヒータに固定されたフランジで温水タンクに固定保持され、その他端が温水タンクに固定された挿通孔に軸方向スライド自在に保持され、シーズヒータと温水タンクはその長手方向の両端部分にＯリングを装填していることに特徴を有している。シーズヒータとして、直線棒状のものを温水タンクを貫通させて取り付けるようにしたものである。
【０００６】
この時、挿通孔が温度ヒューズを保持するフランジであると、温度ヒューズの取り付けも容易となる。
【０００７】
【発明の実施の形態】
以下本発明を実施の形態の一例に基づいて詳述すると、図５及び図６に示す局部洗浄装置は、片側に袖部１０を備えて便器の後上部に取り付けられる本体１と、該本体１に回動自在に取り付けられている便座２及び便蓋３とからなるもので、本体１はその内部に図７に示すように、温水タンク１５や温風乾燥機７や脱臭器６を備えるほか、洗浄水を吐出する２種の洗浄ノズル４１，４２を備えており、袖部１０内にはスイッチブロック５を内蔵している。図中７０は温風乾燥機７の温風吹き出し口、図６中の６０は脱臭器６の吸い込み口である。
【０００８】
また、上記本体１は使用者の便座への着座を検出する着座センサを備えているのであるが、この着座センサは、本体１の一側端側の投光器１８から投光窓１１を通じて投光されて袖部１０内のスイッチブロック５内に配されて袖部１０の先端部に位置する受光器（図示せず）で受光される赤外線が着座した使用者によって遮られることで着座を検知する光学的センサとして形成されている。なお、便蓋３を閉じた状態においては、便蓋３の基端側の切欠３１と便蓋３の袖部１０側に設けた切欠３２とを通じて赤外線が受光器に至るものとなっている。
【０００９】
上記スイッチブロック５は、袖部１０の上面に配したパネルシート５６の該当個所を押すことでオンとなる複数個のタクトスイッチと、操作ダイアル６２を回転させることで洗浄水吐出用の給水電磁弁１７を開閉させるスイッチとを備えて、上記温水タンク１５内の洗浄水温度や温風乾燥機７のオンオフ及び温度調節、脱臭器６のオンオフなどは上記タクトスイッチと制御回路とを通じて制御される。
【００１０】
また、上記操作ダイアル６２は、オフ位置を中心として左右に回転させることができるようになっており、オフ位置から一方側へ回転させた時には、給水電磁弁１７を開かせるとともに、図８〜図１０に示すノズルブロック４におけるバルブ軸４４を回転させて一方のノズル４１側への通路を開く。操作ダイアル６２を他方側へ回転させた時には、やはり給水電磁弁１７を開かせるとともに上記バルブ軸４４を回転させて他方のノズル４２側への通路を開くものとなっており、また、操作ダイアル６２の回転量に応じてバルブ軸４４を貫通する水路４０からノズル４１，４２に至る給水量を変化させるものとなっている。
【００１１】
操作ダイアル６２の回転に伴う上記バルブ軸４４の回転は、図８及び図９に示すように、本体１及び袖部１０のハウジングの底板上にスライド自在に配した断面平板状のラック板７で操作ダイアル６２とノズルブロック４とを連結することで行っている。ラック板７は操作ダイアル６２側では操作ダイアル軸６１の下端部に形成されているピニオン６９にラック７０を噛み合わせ、ノズルブロック４側ではバルブ軸４４の下端部に形成されているピニオン４９にラック７１を噛み合わせるもので、低摩擦係数の合成樹脂にて可撓性を有するものとして形成されて、上記ハウジングの底板上に一体に設けられている弧状のガイドリブ８１で形成されるガイド溝内に納められている。操作ダイアル６２で回転軸６１を回転させれば、ラック板７がスライドしてバルブ軸４４を回転させるものである。図９中の８２はラック板７の抜け止め用ブリッジ、８３はガイド溝底部にあってラック板７を浮かせている摩擦抵抗軽減用の突部である。
【００１２】
本体１内に配された上記温水タンク１５は給水電磁弁１７を通じて供給された水を内蔵するシーズヒータ１６によって加熱してバルブユニット４側へ送り出すのであるが、ここにおけるシーズヒータ１６は、図１〜図３に示すように、温水タンク１５の下部を貫通する棒状のものとして形成されている。
【００１３】
すなわち、棒状であって熱良導体である金属（銅）製の円筒状外皮を備えているシーズヒータ１６は、その両端部の金属（銅）製のフランジ５２，５３を温水タンク１５の外面にビス５１で固定することで温水タンク１５に取り付けられているとともに、耐熱性の０リング５４で取付部の防水が図られているのであるが、シーズヒータ１６の一端のフランジ５２は上記外皮にかしめで固定されたものとなっているのに対して、他方のフランジ５３は図４にも示すように、シーズヒータ１６が挿通される挿通孔５５を備えて、シーズヒータ１６の温度変化によるところの軸方向伸縮を逃がすことができるものとなっている。
【００１４】
また、フランジ５３は屈曲片５６ａ，５６ｂ，５６ｃを上縁側に備えており、これら屈曲片５６ａ，５６ｂ，５６ｃによって、ガラスチューブ７３内に納めた温度ヒューズ７２を抱きかかえるように保持するものとなっている。なお、温度ヒューズ７２の長手方向において３つの屈曲片５６ａ，５６ｂ，５６ｃに分けているのは温度ヒューズ７２のずれの防止のためである。
【００１５】
給水電磁弁１７を通じて温水タンク１５内の底部に流入した水は、温水タンク１５の下部内に位置するシーズヒータ１６で加熱されて温水タンク１５の上部に至るとともに、加熱されることで温水タンク１５の上部に溜まっている温水をバルブユニット４の押し出す。図１中の１４はシーズヒータ１６の温度調節のために温水タンク１５内の水温を検出するサーミスタである。
【００１６】
【発明の効果】
以上のように本発明においては、温水タンクを貫通する直線棒状となっているシーズヒータの一端をシーズヒータに固定したフランジで温水タンクに固定保持し、他端を温水タンクに固定した挿通孔に軸方向スライド自在に保持し、シーズヒータと温水タンクはその長手方向の両端部分にＯリングを装填しているものであり、シーズヒータとして、直線棒状のものを温水タンクを貫通させて取り付ける上で、シーズヒータの両端はＯリングを装填して、その防水も容易なものであり、しかも一方はシーズヒータをスライド自在としているために、シーズヒータの熱膨張が問題となることもない。
【００１７】
そして、上記挿通孔が温度ヒューズを保持するフランジであると、シーズヒータの過熱対策のための温度ヒューズの取り付けも容易となるとともに、シーズヒータの温度を確実に温度ヒューズに伝えることができる。
【図面の簡単な説明】
【図１】  本発明の実施の形態の一例における温水タンクの分解斜視図である。
【図２】  同上の温水タンクのヒータ固定部の縦断面図である。
【図３】  同上の温水タンクのヒータ固定部の水平断面図である。
【図４】  同上の固定金具と温度ヒューズを示すもので、（ａ）は正面図、（ｂ）は破断底面図である。
【図５】  同上の斜視図である。
【図６】  同上の底面側を示す斜視図である。
【図７】  同上のカバーを外した状態の斜視図である。
【図８】  同上の給水電磁弁とノズルと操作ダイアルの斜視図である。
【図９】  同上のカバーを外した状態の平面図である。
【図１０】  同上のノズルのバルブ部の水平断面図である。
【符号の説明】
１５  温水タンク
１６  シーズヒータ
５２  フランジ
５３  フランジ
【図１】
0004304787.tif 000002
【図２】
0004304787.tif 000003
【図３】
0004304787.tif 000004
【図４】
0004304787.tif 000005
【図５】
0004304787.tif 000006
【図６】
0004304787.tif 000007
【図７】
0004304787.tif 000008
【図８】
0004304787.tif 000009
【図９】
0004304787.tif 000010
【図１０】
0004304787.tif 000011